(57)【特許請求の範囲】
【請求項１】
金属平板のプレス加工により網目が形成された網目部と、
周縁部の両側部の一部に形成した複数個の筒状突起部と、
周縁部に、前記筒状突起部の存在する箇所を除いて、縁巻加工により形成された縁巻部と、
を有することを特徴とする、オーブントースタの焼網。
【発明の詳細な説明】
【技術分野】
【０００１】  本願発明は、オーブントースタの焼網に関するものである。
【背景技術】
【０００２】  この種のオーブントースタの焼網に関して、従来の線材を平行配列されたものに代えて、網目構造としたものが公知である。
例えば、特許第３７６０４０８号特許公報（特許文献１）「オーブントースタ」の図１に示される網目部と枠部とよりなる網目構造の焼網が存在する。
【先行技術文献】
【０００３】
【特許文献１】特許第３７６０４０８号特許公報
【発明の概要】
【発明が解決しようとする課題】
【０００４】  上記の網目構造の焼網は、網目部の周縁に枠部を融着して一体化することで構成して、網目部の周縁を保護している。すなわち、網目部と２部品以上の枠部とで構成していることで、二部品以上を必要とするとともに、二部品以上の固定作業を必要として製品コストが増加している問題点かある。
図１５に示す公知のオーブントースタにおいては、焼網１０を従来の複数本の線材を平行配列された構成で、更に、オーブントースタの扉開閉機構と連動して焼網を前後動させるべく、左右方向に突出する固定用突起１１を、焼網１０に固定して一体化している。固定用突起１１の後方側１１ａをばね１２を介して機体に固定し、筒状突起部１１の前方側１１ｂを連桿１３を介して扉１５に固定し、固定用突起１１の後方側１１ａおよび固定用突起１１の前方側１１ｂを、機体内部側壁に形成した前後方向長孔を貫通することで、焼網１０をほぼ水平状態に支持している。
本発明は、上記の焼網構造を単一構成部品とするとともに、固定式の焼網において、前記固定用突起１１を焼網と一体構成とすることを課題とする。
【課題を解決するための手段】
【０００５】  本願発明は、オーブントースタの焼網において、金属平板のプレス加工により網目が形成された網目部と、周縁部の両側部の一部に形成した複数個の筒状突起部と、周縁部に、前記筒状突起部の存在する箇所を除いて、縁巻加工により形成された縁巻部と、を有することを特徴とする。
【発明の効果】
【０００６】  本願発明は、焼網の網目部を、金属平板のプレス加工により製作し、網目部の周縁部を縁巻加工により形成された縁巻部を枠部として機能させるものであるから、単一の金属平板のプレス加工および縁巻加工により製品を完成させることで、従来工程の二部品の固定作業を無くして、製品製作コストを低減する効果を有する。
更に、固定式の焼網において、前記固定用突起に代えて、筒状突起部を網目部と一体構成とすることで、公知の焼網における前記固定用突起を装備のための、二部品の固定作業を無くして、製品製作コストを低減する効果を有する。
【図面の簡単な説明】
【０００７】
【図１】本願発明の第１実施例を示すオーブントースタの焼網の斜視図。
【図２】同じく平面図。
【図３】同じく正面図。
【図４】同じく右側面図。
【図５】筒状突起部を示す、側部の拡大斜視図。
【図６】図２のＳ１−Ｓ１切断線による縦断面図。
【図７】図２のＳ２−Ｓ２切断線による部分拡大縦断面図。
【図８】同じく網目の部分拡大平面図。
【図９】素材の金属平板を示し、ａ図は平面図、ｂ図は縦断面図。
【図１０】中間素材の金属平板を示す平面図。
【図１１】本願発明の第２実施例を示し、周辺段部を有する焼網の断面図。
【図１２】本願発明の第３実施例のリブ状突起部を有する焼網の縦断面図。
【図１３】本願発明の焼網の使用状態を縦断面で示す略図。
【図１４】公知のオーブントースタの焼網を示す斜視図。
【発明を実施するための最良の形態】
【０００８】  図１ないし図１３に示す実施例にもとづいて、本願発明を詳細に説明する。【０００９】  本発明の焼網Ａは、図１ないし図８を参照して、平面視で長方形状の網目部１と、網目部１の周縁に隣接する縁巻部２と、縁巻部２の一部を切除して形成した複数個の筒状突起部３とで、構成されている。【００１０】  つぎに、本願発明の焼網の製造方法を説明する。
図９に示す素材の金属平板Ｂを、その周縁部ｂを除く中央部分に、網目ｗを打抜きプレス工程により、網目部１を形成するとともに、両側部の一部Ｃを切除することで、図１０に示す、中間素材の金属平板Ｂ１とする。【００１１】  中間素材の金属平板Ｂ１は、周縁部ｂについて、その左右に平板帯状部ｂｂを有する形状であり、周縁部ｂの外側端部ｃを切除することで、平板帯状部ｂｂの先端は、側部周縁部ｂＬ、ｂＲの端縁よりも突出している。【００１２】  つぎに、金属平板Ｂの周縁部ｂについて、一部区間（平板帯状部ｂｂ）を除いて、縁巻加工（カーリング加工）することで、縁巻部２を形成するとともに、
更に、金属平板Ｂの周縁部ｂの平板帯状部ｂｂについて、カーリング加工することで、筒状とすることにより、網目部１の周縁より左右側方へ突出する筒状突起部３を形成する。【００１３】  かくして、単一素材である金属平板Ｂにより、焼網Ａを完成する。
よって、従来製品の焼網における、複数部材およびこれらの固定作業を不要とする。【００１４】  縁巻部２は、網目部の端縁の露出を無くして、使用者が不用意に接触して手指が損傷する事故を防ぐとともに、焼網Ａの強度を高める。【００１５】  実施例において、網目部について、金属平板Ｂの厚さｔを０．６ｍｍとし、網目ｗについて、一辺ａ＝７ｍｍの正方形とし、網目部１の線状部の巾ｄを１ｍｍとした。【００１６】  網目ｗは、実施例では正方形としたが、長方形、菱形、六角形（亀甲型）、丸形等としてもよいものである。さらに、中央部と周辺部とで異なる形状とするがごとく、数種類の形状の網目を混在させてもよいものである。【００１７】  実施例では、背面側の折曲工程を追加して垂直部４を形成しているが、省いてもよいものである。【００１８】  図１３は、本発明の焼網Ａの使用状態を示し、オーブントースタの加熱室内に位置して、筒状突起部３の後方側３ａをばね１２と連結し、筒状突起部３の前方側３ｂを連桿１３を介して扉１５に連結している。【００１９】  図１１は、段押し加工により、網目部１の周辺に周辺段部５を形成したことを特徴とする第２実施例の焼網を示す。【００２０】  図１２は、プレス加工またはリブ出し加工により、網目部１の中央部にリブ状突起６を前後方向きたは左右方向に複数本形成したことを特徴とする第３実施例の焼網を示す。【００２１】  前記周辺段部５、リブ状突起６は、平板状の焼網Ａの強度を高める効果を有する。【００２２】  アルミメッキ鋼板をそのまま使用、鋼板に耐熱塗装（黒、褐色、グレーなど）、鋼板にクロームメッキ等の表面処理が適当である。耐熱塗装は熱吸収がよいのでパンがよく焼ける効果がある。
【産業上の利用可能性】
【００２３】  本願発明は、安価な焼網を提供することで、オーブントースタの販売増進に寄与するものである。
【符号の説明】
【００２４】  １    網目部
２    縁巻部
３    筒状突起部
Ａ    焼網
Ｂ    金属平板
ｗ    網目
【図１】
0005721057.tif 000002
【図２】
0005721057.tif 000003
【図３】
0005721057.tif 000004
【図４】
0005721057.tif 000005
【図５】
0005721057.tif 000006
【図６】
0005721057.tif 000007
【図７】
0005721057.tif 000008
【図８】
0005721057.tif 000009
【図９】
0005721057.tif 000010
【図１０】
0005721057.tif 000011
【図１１】
0005721057.tif 000012
【図１２】
0005721057.tif 000013
【図１３】
0005721057.tif 000014
【図１４】
0005721057.tif 000015